(57)【要約】【課題】天井裏に断熱材が施工されていても、廉価に作製でき、かつ器具本体の周囲に放熱するに十分な空間が確保できることで、器具本体の温度上昇を押さえることができる埋込型照明器具を提供する。【解決手段】埋込型照明器具１は、ランプ１３が取り付けられるソケット１４が設けられた反射体１１と、反射体１１の上面から水平方向に突出し、先端部にランプ１３に電源を供給する端子台１５が設けられた第１アーム１２とを有する第１ユニット１０と、反射体１１を囲うように形成され、第１アーム部１２を挿通させる貫通孔２１ａが設けられた器具本体２１と、器具本体２１の上面に設けられ、第１アーム部１２とは反対方向に突出した第２アーム部２２とを有する第２ユニット２０とが分離可能にボルト３１とナット３２とで連結されている。【選択図】図２
2007157660.tif 000002
【特許請求の範囲】
【請求項１】
ランプからの光を反射する反射体と、前記反射体の上面から水平方向に突出した第１アームとを有する第１ユニットと、
前記反射体を囲うように形成され、前記第１アーム部を挿通する挿通部が設けられた器具本体と、前記器具本体の上面に設けられ、前記第１アーム部とは反対方向に突出した第２アーム部とを有する第２ユニットとが分離可能に連結されていることを特徴とする埋込型照明器具。
【請求項２】
前記第１ユニットと、前記第２ユニットとは、１本のボルトとナットで連結されることを特徴とする請求項１記載の埋込型照明器具。
【発明の詳細な説明】
【技術分野】
【０００１】
本発明は、内面側に断熱材を敷設した天井の開口に器具本体を埋め込んで取り付けられる埋込型照明器具に関する。
【背景技術】
【０００２】
照明器具は、ランプの発熱による温度上昇が問題となっている。特に埋込型照明器具は、開口を設けた天井に埋め込んで設置されるが、近年住宅内の熱効率の向上を目的として天井の裏面側に断熱材が施工されるようになってきているため、埋込型照明器具を天井に設置すると、断熱材が隙間なく覆い被さるように埋込型照明器具を囲うので、この断熱材により放熱が阻害され、温度上昇が甚だしい。限度を超える温度上昇は天井を過熱し、天井面の変形や変色をもたらし、住宅に影響を及ぼすおそれがある。
【０００３】
このような温度上昇を抑制するには、天井裏の断熱材と器具本体の間にできる空間を広くとることが有効である。それは、埋込型照明器具の器具本体から断熱材を遠ざけ、空間を広くとることで、空間内での空気の対流をよくし、器具本体の放熱効率をよくすることができるからである。
【０００４】
このような温度上昇の抑制に配慮した従来の埋込型照明器具が知られている。図４に従来の埋込型照明器具を示す。図４に示すように従来の埋込型照明器具は、器具本体１００の上部に突出したアーム部１０１が設けられ、アーム部１０１の先端に端子台１０２が設けられている。アーム部１０１は、断熱材１０４を押し広げ、垂れてこないように支えることで、断熱材１０４と天井１０５との間の空間１０６を確保している。断熱材１０４と天井１０５との間に空間１０６が確保できれば、空間１０６内の空気の対流により器具本体１００から熱が奪われ、器具本体１００の放熱効率がよくなる。その結果、器具本体１００の温度上昇が抑えられる。しかし、埋込型照明器具は天井の下から開口を通過させて、埋め込む形で設置されるため、開口の径より従来の埋込型照明器具が通過することが可能かどうかが問題となる。
【０００５】
従って、天井裏の断熱材と器具本体との空間を確保するために、器具本体から突出したアーム部を設ける必要があるが、天井に設置するためには天井の開口を通過させる必要がある。このようなアーム部を有する埋め込み型照明器具として特許文献１に記載されたものがある。特許文献１に記載の埋込型照明器具は、器具本体に形状記憶合金製の開閉体を固着し、ランプ点灯時にそのランプの熱により開閉体が開動し、器具本体より外方に変形すると同時に断熱材を押し広げ、器具と断熱材の間に空間を確保するようにしている。
【特許文献１】特開昭６３−２０５００３号公報
【発明の開示】
【発明が解決しようとする課題】
【０００６】
しかし、図４に示す従来の埋込型照明器具では放熱が不十分な場合がある。それは、器具本体の上面から突出したアーム部は一方向のみであり、アーム部が突出した側とは反対側の器具本体の周面では断熱材が器具本体に覆い被さり放熱に十分な空間が確保できない。そのため、器具本体温度が上昇してしまい問題となることがある。
【０００７】
また、特許文献１に記載の埋込型照明器具では、器具本体の周囲の空間確保は十分であるが、形状記憶合金を使用しているため、製造コストが嵩む。また、ランプの点灯、消灯に合わせ、開閉体が開閉を繰り返すので、その度に断熱材が上下に動き擦れるような音を立てたり、断熱材にダメージを与えたりすることもある。
【０００８】
そこで本発明は、天井裏に断熱材が施工されていても、廉価に作製でき、かつ器具本体の周囲に放熱するに十分な空間が確保できることで、器具本体の温度上昇を抑えることができる埋込型照明器具を提供することを目的とする。
【課題を解決するための手段】
【０００９】
本発明の埋込型照明器具は、ランプからの光を反射する反射体と、前記反射体の上面から水平方向に突出した第１アームとを有する第１ユニットと、前記反射体を囲うように形成され、前記第１アーム部を挿通する挿通部が設けられた器具本体と、前記器具本体の上面に設けられ、前記第１アーム部とは反対方向に突出した第２アーム部とを有する第２ユニットとが分離可能に連結されていることを特徴とする。
【００１０】
本発明の埋込型照明器具は、第１ユニットと第２ユニットとで形成されている。第１ユニットは、ランプからの光を反射する反射体と、反射体の上面から水平方向に突出した第１アームとを有している。第２ユニットは、反射体を囲うように形成され、第１アーム部を挿通する挿通部が設けられた器具本体と、器具本体の上面に設けられ、第１アーム部とは反対方向に突出した第２アーム部とを有している。そして第１ユニットと第２ユニットとは、分離可能に連結されている。
【００１１】
本発明の埋込型照明器具を天井に設置するときには、第１ユニットと、第２ユニットとが別々に分離した状態で準備する。次に、器具本体から突出した第２アーム部を天井の開口に差し込み器具本体を埋め込むことで第２ユニットを配置する。次に、突出した第１アームを器具本体の挿通部に挿通させつつ、第１アーム部を天井の開口を通過させ、器具本体と反射体とを取り付け位置を合わせて第１ユニットを配置する。そして第１ユニットと第２ユニットとを天井に押し込んだ状態で連結することで、第１アーム部の先端から第２アーム部の先端までが天井面の開口の径より長くても、それぞれのユニットを通過させ連結することができる。
【００１２】
また、第１ユニットおよび第２ユニットとが連結されることで、水平方向に突出した第１アーム部と、第１アーム部とは反対方向に突出した第２アーム部との両方で断熱材を押し広げ、下に垂れないように支えるので、断熱材と器具本体との間に十分な空間が確保できる。
【００１３】
前記第１ユニットと、前記第２ユニットとは、１本のボルトとナットで連結されることが望ましい。第１ユニットと第２ユニットとが、１本のボルトとナットで連結されることで、第１ユニットと第２ユニットとを容易に分離できると共に容易に連結することができるので、埋込型照明器具を容易に天井に設置することができる。
【発明の効果】
【００１４】
本発明は、一方に突出した第１アーム部と、他方に突出した第２アーム部とで、断熱材と器具本体との間に十分な空間が確保できる。よって、この確保された空間内での空気の対流により、器具本体の熱が奪われることで、器具本体の放熱効率が上がり、器具本体の温度上昇を押さえることができる。また、断熱材を押し広げ空間を確保する第１アーム部および第２アーム部は、断熱材の重さに耐えられる程度の強度を有する材質のものであれば採用することが可能なので、第１アーム部および第２アーム部を設けるに製造コストがかからない。また、ランプの点灯、消灯で第１アーム部および第２アーム部が開閉しないので、断熱材にダメージを与えたり、不快な音を発したりすることもない。
【発明を実施するための最良の形態】
【００１５】
本発明の実施の形態に係る埋込型照明器具を図面に基づいて説明する。まずは、図１および図２に基づいて構成を説明する。図１は、本発明の実施の形態に係る埋込型照明器具の設置状態の断面図である。図２は、本発明の実施の形態に係る埋込型照明器具の分解斜視図である。
【００１６】
図１および図２に示すように本発明の実施の形態に係る埋込型照明器具１は、天井２に埋め込まれて設置される。天井２の裏面側には、グラスウールなどの断熱材３が埋込型照明器具１を覆うにように設けられている。埋込型照明器具１は、反射体１１および第１アーム部１２を有する第１ユニット１０と、器具本体２１および第２アーム部２２とを有する第２ユニット２０とを備えている。
【００１７】
第１ユニット１０の反射体１１は、アルミ製で、略コップ状に形成されており、その内面は光を効率よく反射するように鏡面に仕上げられている。また反射体１１の先部の周縁には、鍔部１１ａが形成されている。また、反射体１１には、ランプ１３が取り付けられるソケット１４が設けられている。
【００１８】
第１アーム部１２は、反射体１１の上面から水平方向に突出するように形成された断面コ字状の板状部材である。また、第１アーム部１２の先端には、ランプ１３に電源を供給する端子台１５が設けられている。この端子台１５には、電源ケーブル５が接続されている。ランプ１３は、１００Ｗの電球であり、端子台１５を介して接続される電源ケーブル５により交流電圧１００Ｖが供給される。
【００１９】
第２ユニット２０の器具本体２１は、亜鉛メッキ鋼板を略コップ状に形成したもので、反射体１１を囲うように形成されている。また器具本体２１には、第１アーム部１２を挿通するため挿通部として貫通孔２１ａが器具本体２１の周面の上部に設けられている。本実施の形態では、第１アーム部１２を挿通する挿通部として貫通孔２１ａとしたが、器具本体２１の先端まで切り欠いていてもよい。しかし器具本体２１の構造的強度が減少するので貫通孔２１ａとするのが望ましい。器具本体２１の周縁には鍔部２１ｂが設けられており、この鍔部２１ｂと取り付け金具４とで天井２を挟む形で器具本体２１が天井２に設置固定される。この取り付け金具４は、器具本体２１の周面に設けられたガイド溝２１ｃをスライドさせて天井２の裏面まで移動させることで高さを調整する。
【００２０】
第２アーム部２２は、器具本体２１の上部から第１アーム部１２とは反対方向に突出するように形成された断面コ字状の板状部材である。
【００２１】
第１ユニット１０と第２ユニット２０とは、器具本体２１の上面中央から反射体１１の上面中央に向けて挿通するボルト３１と、反射体１１の内側からボルト３１に螺合するナット３２とで取り付けられている。つまり第１ユニット１０と第２ユニット２０とはナット３２をボルト３１から外すことで容易に分離可能である。
【００２２】
以上のように構成される本発明の実施の形態に係る埋込型照明器具の設置方法を、更に図３を参照しながら説明する。図３は、本発明の実施の形態に係る埋込型照明器具を天井に設置するときの状態を説明する分解断面図である。
【００２３】
まず、予め、第１ユニット１０と第２ユニット２０とをナット３２を外して分離した状態で準備する。次に、天井の開口から電源ケーブル５を引き出し、器具本体２１の貫通孔２１ａの外側から内側へ通した状態で電源ケーブル５の先端を端子台１５に接続する。
【００２４】
次に、器具本体２１を傾けながら第２アーム部２２の先端から天井の開口に差し入れ、器具本体２１を天井２に埋め込む。器具本体２１を天井２に埋め込んだら、取り付け金具４を器具本体２１に設けられたガイド溝２１ｃに沿ってスライドさせて、器具本体２１の鍔部２１ｂと取り付け金具４とで天井２を挟み込む形で、器具本体２１を天井２に固定する。このようにして第２ユニット２０を天井２に設置する。
【００２５】
次に、第１ユニット１０を器具本体２１内に設置するが、まず第１アーム部１２を先端の端子台１５の方から器具本体２１の貫通孔２１ａに挿通し、第１アーム部１２が器具本体２１の外側に突出するようにする。
【００２６】
そして反射体１１を器具本体２１内に収容して、第２ユニット２０の器具本体２１と、第１ユニット１０の反射体１１とをボルト３１にナット３２を締め付けて固定する。最後にソケット１４にランプ１３をねじ込んで設置は完了する。
【００２７】
このように埋込型照明器具１を、第１ユニット１０と第２ユニット２０とにボルト３１とナット３２とで分離可能とし、第１ユニット１０と第２ユニット２０とをそれぞれ別々に天井２の開口に差し込むことで、天井の開口径よりも長いアーム部（第１アーム部１２および第２アーム部２２）を形成することができる。そして器具本体２１を中心として二方向に延びるアーム部により、断熱材３を押し広げて支え、垂れ下がらないようにすることで断熱材３と天井２との間に空間６，７を確保することができる。この空間６，７内の対流により器具本体２１の放熱効率を高め、器具本体２１の温度上昇を抑制することができる。
【００２８】
以上、本発明の実施の形態について説明してきたが、本発明は前記実施の形態に限定されるものではない。例えば、本実施の形態では、ソケット１４と端子台１５を反射体１１と第１アーム部１２側に取り付け、第１ユニット１０に含めているが、ソケット１４を器具本体２１内に取り付け、端子台１５を第２アーム部２２に取り付け、第２ユニット２０に含めるようにしてもよい。
【産業上の利用可能性】
【００２９】
本発明は、内面側に断熱材を敷設した天井の開口に器具本体を埋め込んで取り付けられる埋込型照明器具に最適である。
【図面の簡単な説明】
【００３０】
【図１】本発明の実施の形態に係る埋込型照明器具の設置状態の断面図である。
【図２】本発明の実施の形態に係る埋込型照明器具の分解斜視図である。
【図３】本発明の実施の形態に係る埋込型照明器具を天井に設置するときの状態を説明する分解断面図である。
【図４】従来の埋込型照明器具を説明する図である。
【符号の説明】
【００３１】
１  埋込型照明器具
２  天井
３  断熱材
４  取り付け金具
５  電源ケーブル
６，７  空間
１０  第１ユニット
１１  反射体
１１ａ  鍔部
１２  第１アーム部
１３  ランプ
１４  ソケット
１５  端子台
２０  第２ユニット
２１  器具本体
２１ａ  貫通孔
２１ｂ  鍔部
２１ｃ  ガイド溝
２２  第２アーム部
３１  ボルト
３２  ナット
【図１】
2007157660.tif 000003
【図２】
2007157660.tif 000004
【図３】
2007157660.tif 000005
【図４】
2007157660.tif 000006